(57)【要約】【課題】つるしやすく、図絵の平坦な状態が維持でき、脱落しにくく、交換されやすく、造型が美しく、重量が比較的に軽い、一種の図絵の接合リング枠を提供する。【解決手段】一種の図絵の接合リング枠である。リング枠、差込口半分枠、差込チップ半分枠、つるしリング、凹凸特区装置と隔膜が含まれている。リング枠は軸対称の枠チップで、リング枠の片側に、枠上部の中点からスタートし、枠下部の中点で終わる差込口枠が設置されている。リング枠と差込口枠の中の側壁と一体となり、差込口半分枠となる。リング枠のもう片側は差込チップ半分枠である；リング枠の上部の中点のところにつるしリングが設置されている。リング枠の下部の中点に凹凸ロック装置が設置されている。リング枠の、差込口半分枠の差込口の面に枠段が設置されている。隔膜は枠段に嵌り、リング枠の段の中に固定され、リング枠と同じ平面となる。【選択図】  図１
2008547051.tif 000002
【特許請求の範囲】
【請求項１】
リング枠、差込半分枠、差込チップ半分枠、つるしリング、凹凸ロック装置と隔膜が含まれていることを特徴とする一種の図絵の接合リング枠。
リング枠は両側対称の枠で、リング枠の片側に、枠上部の中点からスタートし、枠下
部の中点で終わる差込口枠が設置され、差込口枠の断面は差込口の形状で、その
差込口の内壁がリング枠の片側の外縁に合っており、リング枠と差込口枠の中の側
壁と一体となり、差込口付きの差込口半分枠となる。リング枠のもう片側は差込チッ
プ半分枠である；差込口半分枠の差込口広さは差込チップ半分枠の厚さと挟む図絵
の厚さの和に等しい。リング枠の上部の中点のところにつるしリングが設置されてい
る。つるしリングの差込口半分枠につるしリングの差込口が設置されている。リング枠
の下部の中点に凹凸ロック装置が設置されている。当該凹凸ロック装置は隣どおし
の形状とサイズが同じな凹みと浮き上がりで、凹凸ロック装置の差込口半分枠のとこ
ろにロック装置の差込口が設置されている。リング枠の、差込口半分枠の差込口の
面に枠段が設置されている。隔膜は枠段に嵌り、リング枠の段と固定され、リング枠
と同じ平面となる。
【発明の詳細な説明】
【技術分野】
【０００１】
この実用新型は図絵の展示用具を対象にする。特に図絵の接合リング枠を対象にする。
【背景技術】
【０００２】
製品の性能、デザイン及び特徴を社会と公衆に展示するために、いろんな展示棚が出されている。特に特許番号03257923.3の「浮遊式展示棚」という展示用具は伝統的な図絵或いはモデルの静態展示を動態展示にしている。
【０００３】
複数本のつるし棒及びつるし糸が含まれており、各つるし棒の間はつるし糸で接続されている。つるし棒に順次してつるし点、支点、つるしがけ点が付けられている；つるし棒の間は前のつるし棒のつるし点と次のつるし棒の支点をつるし糸でつるして接続されている。各つるし棒のつるしがけ点に展示物がつるされ、順次して接続され、浮遊型構造となる。
【０００４】
前記「浮遊式展示棚」の複数本のつるし棒及びつるし糸の接続により、立体空間構造となり、つるし棒のつるしがけ点に図絵、モデルなどの宣伝展示品をつるす。展示物及びつるし棒は360度範囲内で自由に回転でき、浮遊式立体空間構造は動態浮遊状態を呈し、つるしがけ点の展示物は揺れながら浮遊し、非常に人目を引き、展示効果がよい。
【０００５】
「浮遊式展示棚」の「つるし棒」のつるしがけ点につるされている図絵か宣伝品が、つるし棒に接続でき、丈夫で軽くて平らで交換されやすいこと。
【特許文献１】中国特許番号03257923.3（公告番号ＣＮ２６４５５４５Y）
【発明の開示】
【発明が解決しようとする課題】
【０００６】
この実用新型は一種の図絵の接合リング枠を提供することを目的とし、「浮遊式展示棚」の「つるし棒」につるすことができるし、それ以外のつるしがけ装置につるすこともできる。つるしやすく、図絵の平坦な状態が維持でき、脱落しにくく、交換されやすく、造型が美しく、重量が比較的に軽い。
【課題を解決するための手段】
【０００７】
この実用新型にリング枠、差込口半分枠、差込チップ半分枠、つるしリング、凹凸ロック装置と隔膜が含まれている。図1の通り。
【０００８】
リング枠は両側対称の枠で、リング枠の片側に、枠上部の中点からスタートし、枠下部の中点で終わる差込口枠が設置され、差込口枠の断面は差込口の形状で、その差込口内壁がリング枠の片側の外縁に合っており、リング枠と差込口枠の中の側壁と一体となり、差込口付きの差込口半分枠となる。その断面は図2の通り；リング枠のもう片側は差込チップ半分枠である；差込口半分枠の差込口の広さは差込チップ半分枠の厚さと挟む図絵の厚さの和に等しい。図3の通り。
【０００９】
リング枠の上部の中点のところにつるしリングが設置されている。つるしリングの差込半分枠につるしリングの差込口が設置されている。図4の通り。
【００１０】
リング枠の下部の中点に凹凸ロック装置が設置されている。当該凹凸ロック装置は隣どおしの形状とサイズが同じな凹みと浮き上がりで、凹凸ロック装置の差込口半分枠のところにロック装置の差込口が設置されている。図5の通り。
【００１１】
リング枠の、差込口半分枠の差込口の面に枠段が設置されている。隔膜は枠段に嵌り、リング枠の段と固定され、リング枠と同じ平面となる。
【００１２】
この実用新型はつるすことができるいかなる装置に使うことができる。
【００１３】
この実用新型の差込口半分枠の差込口の広さが差込チップ半分枠の厚さと挟む図絵の厚さの和に等しいから、いかなる二つの同実用新型を、正反状態で、左右から接合する時、中の１つの実用新型の差込チップ半分枠は図絵を挟んだまま、もう一つの同実用新型の差込口半分枠の差込口に挿入することができる。展示する図絵は二つの実用新型の隔膜の間に挟まれている。同時に、実用新型を接合するつるしリングは、つるしリングの半分でもう一つのつるしリングの差込口に挿入された後、重なり合うようになる。図6、7、8の通り。
【００１４】
接合する二つの実用新型はそれぞれ正反状態であるから、正反の二つの凹凸ロック装置は向かい合う状態にある。ロック装置の差込口を通し、二つの実用新型の凹凸ロック装置が接合された後、こっちの実用新型の凹みは他方の実用新型の浮き上がりに嵌り、こっちの実用新型の浮き上がりは他方の実用新型の凹みに嵌り、凹みと浮き上がりの重なり合いで接合する二つの実用新型をロックして固定する。充分な外力か工具がない状況で、二つの実用新型で図絵を固定することができる。
【００１５】
接合された二つの実用新型は隔膜で挟んだ図絵か図絵が書いてある隔膜で展示機能を実現することができる。
【００１６】
図絵を挟んだ実用新型は、トップのつるしリングで「浮遊式展示棚」の「つるし棒」につるされ、風力で回転でき、広告効果が上がる。
【００１７】
図絵を挟んだ実用新型を、直接つるしリングで展示する位置に掛ける時、フックや縦柱などのつるしがけ装置を使うことができ、展示効果が出せる。
【００１８】
展示図絵を交換する時、左右にある二つの実用新型を、それぞれ外力で左右へ引張り、凹凸ロック装置をアンロックさせて結構である。図絵を交換した後の接合しなおしは簡単である。
【００１９】
この実用新型にリング枠、差込口半分枠、差込チップ半分枠、つるしリング、凹凸ロック装置と隔膜が使われ、実物の展示看板が重いことによる不便さが避けられ、全体の重量を軽減できる。つるしがけ用フックの強度に対する要求が低いから、コストダウンが図れるし、つるし棒に吊るされた展示看板がもっと自由に揺れられる。
【発明の効果】
【００２０】
まとめて言うと、この実用新型は図絵の接合リング枠で、「浮遊式展示棚」の「つるし棒」に吊るすことができるし、その他吊るしがけ装置に吊るすこともできる。吊るしやすく、図絵の平坦な状態が維持でき、脱落しにくく、交換しやすく、造型が美しく、重量が比較的に軽い。
【発明を実施するための最良の形態】
【００２１】
[実用例1]
エンジニアリングプラスチックでモールディングして本実用新型を作り、リング枠1を円形輪のチップにし、その内径は18.0cm、外径は22.0cm、半径が19.0cmの環状段10を設置し、環状段10の段差は1.0cmとする。
【００２２】
隔膜4の厚さ1.0cm。隔膜4を環状段10に嵌り、溶接で固定させる。
【００２３】
差込口半分枠5の外径は22.5cm、差込口7の広さは0.5cmとする。差込チップ半分枠6の外径22.0cm、厚さ0.3cmとする。
【００２４】
リング枠1のトップに鐘形つるしリング2を設置し、吊るしリング差込口8を付ける。つるしリング2の鐘形の底辺の長さ3.0cm、つるしリングの差込口8の長さ1.5cmとする。
【００２５】
リング枠1の底から差込口7に向かう表面に凹凸ロック装置3を設置する。
【００２６】
同様の二つの本実用新型を正反の状態で左右から差し込み、それぞれの差込チップ半分枠6を、他方の差込口半分枠5の差込口7に差し込み、二つの本実用新型の隔膜4の間に図絵を入れる。図絵の厚さは0.2cmとする。
【００２７】
二つの同じ円形の本実用新型を接合した後、二つの同じ本実用新型は重なり合って丸い輪となる。図絵を二枚の隔膜4の間に挟む。こっちのリング枠1の凹みを他方のリング枠1の浮き上がりに合わせて嵌り、ロックし、こっちのリング枠1の浮き上がりを他方のリング枠1の凹みに合わせて嵌り、ロックする。
【００２８】
つるしリング2で、接合された二つの本実用新型を「浮遊式展示棚」の「つるし棒」に吊るす。吊るしやすく、図絵が交換しやすく、脱落しにくく、造型が美しく、重量が比較的に軽い。
【図面の簡単な説明】
【００２９】
【図１】本実用新型の正面見取り図である。
【図２】図1のA-A切断面拡大図である。
【図３】図1のB-B切断面拡大図である。
【図４】差込口半分枠の差込口の中に浮き上がりが入っている図1のA-A切断面拡大図である。
【図５】図1の仰向け局部拡大図である。
【図６】図1の下向け局部拡大図である。
【図７】接合後の二つの実用新型の組立見取り図である。
【図８】図7のC−C切断面拡大図である。
【符号の説明】
【００３０】
1…リング枠  2…つるしリング  3…凹凸ロック装置  4…隔膜  5…差込口半分枠
6…差込チップ半分枠  7…差込口  8…つるしリング差込口  9…環状段
10…ロック装置の差込口
【図１】
2008547051.tif 000003
【図２】
2008547051.tif 000004
【図３】
2008547051.tif 000005
【図４】
2008547051.tif 000006
【図５】
2008547051.tif 000007
【図６】
2008547051.tif 000008
【図７】
2008547051.tif 000009
【図８】
2008547051.tif 000010
【国際調査報告】
2008547051.tif 000011
2008547051.tif 000012
2008547051.tif 000013
2008547051.tif 000014